(57)【要約】【課題】  電子放出素子を複数配列した画像表示装置において電子放出特性のばらつきを補正して均一化することにより、高品位な画像表示を行うことを可能とする。【解決手段】  複数配置された電子放出素子と、蛍光体とを有する表示パネル１０１において、画像データに応じて複数の電圧振幅値を有するパルス幅変調された駆動信号を電子放出素子に印加して画像を表示する。所定の電圧が印加されたときの各電子放出素子に対応した発光輝度のばらつきを補正するための補正テーブルが補正テーブル保持回路１１０に保持されている。補正テーブル値に対して変調レベルに応じたゲインをかけて、複数の電圧振幅値を有する電圧が印加されたときの補正係数を算出する。補正画像データ演算回路１１２にて、補正係数を画像データに乗算して補正画像データを生成・出力し、表示パネルを駆動する。【選択図】  図１     
2005257791.tif 000002
【特許請求の範囲】
【請求項１】
基板上に複数配置された電子放出素子と、該電子放出素子からの電子ビームにより発光する蛍光体とを有し、画像データに応じて該電子放出素子に複数の電圧振幅値を有するパルス幅変調された駆動信号が印加される画像表示装置において、
所定の電圧が印加されたときの前記各電子放出素子に対応した発光輝度のばらつきを補正するための補正値を格納した記憶手段と、
前記補正値を用いて所定の演算により、前記複数の電圧振幅値を有する電圧が印加されたときの補正値を算出する補正値演算手段と、
前記該補正値演算手段の演算結果に基づいて画像データを補正した補正画像データを出力する補正画像データ演算手段と、
前記補正画像データに基づいて、前記駆動信号を出力する駆動手段と、
を有する画像表示装置。
【請求項２】
前記所定の演算は、前記所定の電圧が印加されたときの前記各電子放出素子に対応した発光輝度のばらつきを補正するための補正値に対して、変調レベルに応じたゲインを乗算する演算である請求項１に記載の画像表示装置。
【請求項３】
さらに、前記電子放出素子の駆動時間を格納する駆動時間保持手段を有し、該駆動時間保持手段に格納された駆動時間に応じて前記ゲインを変更する請求項２に記載の画像表示装置。
【請求項４】
画像データに応じて電子放出素子に複数の電圧振幅値を有するパルス幅変調された駆動信号を印加し、該電子放出素子からの電子ビームによって蛍光体を発光させる画像表示装置の駆動方法であって、
所定の電圧が印加されたときの前記各電子放出素子に対応した発光輝度のばらつきを補正するための補正値を用いて所定の演算により、前記複数の電圧振幅値を有する電圧が印加されたときの補正値を算出するステップと、
前記算出された補正値に基づいて補正された画像データを算出するステップと、
前記補正された画像データに基づいて、前記駆動信号を出力し、前記電子放出素子を駆動するステップと、
を含む画像表示装置の駆動方法。
【請求項５】
前記所定の演算は、前記所定の電圧が印加されたときの前記各電子放出素子に対応した発光輝度のばらつきを補正するための補正値に対して、変調レベルに応じたゲインを乗算する請求項４に記載の画像表示装置の駆動方法。
【請求項６】
前記電子放出素子の駆動時間を記録するステップと、
前記記録された駆動時間に応じて前記ゲインを変更するステップと、
をさらに含む請求項５に記載の画像表示装置の駆動方法。
【発明の詳細な説明】
【技術分野】
【０００１】
本発明は、画像表示装置及び画像表示装置の駆動方法に関する。特には、複数の電子放出素子と蛍光体を有する画像表示装置及びその駆動方法に関する。
【背景技術】
【０００２】
平板形状で自発光型の画像表示装置として、例えば、画素毎に蛍光体と微小な電子放出素子を配列したディスプレイや、エレクトロルミネッセンスを利用したディスプレイ、または、発光ダイオードを多数配列したディスプレイ等を挙げることができる。
【０００３】
例えば、電子放出素子として表面伝導形電子放出素子（以下、ＳＣＥ素子と呼ぶ）を単純マトリクス構成にて多数配列し、画像表示装置へと応用した例として本願出願人による特許文献１や特許文献２等が挙げられる。これらの公報では、基板上に設けられた一対の素子電極とこれら素子電極対に接続する導電膜と、導電膜内に形成した電子放出部からなる表面伝導型電子放出素子を２次元的に複数配置し、それぞれの電子放出素子から放出される放出電子を個別に選択するように電気的な選択手段を設け、単純マトリクス駆動により入力画像信号に応じて画像を形成する手段と製造方法が記載されている。
【０００４】
多数の電子放出素子からなるマルチ電子源においては、工程上の変動などにより、個々の電子放出素子の放出特性に多少のバラツキを生じる。
【０００５】
この様なマルチ電子源を大画面のフラットな画像表示装置を作るのに好適であるが、CRTなどと違い電子放出素子が多数あるので、これを用いて画像表示装置を作成した場合に
、それぞれの電子放出素子の特性のバラツキが輝度のざらつき感（バラツキ）となって現れるという問題があった。このようにマルチ電子源における電子放出特性が各電子源毎に異なる理由としては、例えば電子放出部に用いた材料の成分のバラツキ、素子の各部材の寸法形状の誤差など種々の原因が考えられる。しかしながら、これら全ての原因を除去しようとすると非常に高度な製造設備や極めて厳密な工程管理が必要となり、これらを満足させると製造コストが莫大なものとなってしまい現実的でない。
【０００６】
またフェースプレートに用いられる蛍光体は一般に印刷法やスラリー法を用いて画素一つ一つに対応して蛍光膜が形作られるが、大画面の表示装置に用いた場合には面内で蛍光体の厚みムラが生じる場合があり発光効率のムラとなるため輝度均一性を悪くする原因となる。また発光効率向上の手段として一般的に用いられるメタルバックも面内で反射率のムラがあり輝度均一性を悪くする要因となっている。
【０００７】
そこで、特許文献３では、計測した輝度ばらつき情報から補正値を補正メモリーに保存し補正値に従い駆動信号の振幅もしくは時間幅を補正することで、上記課題を解決しようとする試みがなされている。また特許文献４では、全ての画素毎に入力画像データの変調レベル（階調）に対する補正係数を保持し変調レベルの補正と面内の均一性を補正する構成を試みている。しかしながらこの構成では画素全部に対して補正データを保持する必要がある。高解像度で階調分解能の高い画像表示装置を構成した場合、記憶装置の容量が画素数×階調分解能になることから例えば1920×3×1080×10bitの構成の場合には補正演算を8bitで行ったとしても6.4Gbyte必要となり回路規模大きくなり価格の点で現実的でない。
【０００８】
次に駆動方法に関して説明する。この種の画像表示装置において、画像表示素子の発光輝度を制御するための駆動方法としては、大きく分けてＰＷＭ（パルス幅変調）方式とＰ
ＡＭ（パルス振幅変調）方式とが知られている。
【０００９】
ＰＷＭ方式は、画像表示素子に印加する駆動電圧のパルス幅（印加時間）を変化させて発光輝度を制御するものである。典型的な冷陰極型電子放出素子等の画像表示素子にあっては、電圧の印加時間に対して電子放出量はリニアに変化するため、ＰＷＭ方式はＰＡＭ方式に比べ輝度制御が容易であるという利点がある。しかしながら、一素子の階調性を上げるためにはパルス幅変調の基準クロック（動作周波数）を高める必要があり、駆動回路の高コスト化や消費電力の増大などを招いてしまうという欠点がある。
【００１０】
一方、ＰＡＭ方式は、駆動電圧の振幅（電圧値）を変化させて画像表示素子の発光輝度を制御するものである。この方式の場合には、基準クロックを高めることなく階調性を確保することが可能であるものの、一般に電子放出素子は電圧値に対して非線形な電子放出特性を示し、その放出電子の変化量も大きいことから、安定した輝度制御が困難であるという課題があった。
【００１１】
そこで、最近では、複数の駆動電圧を用いてパルス幅変調を行うことで、上記ＰＷＭ方式の課題を解決しようとする試みがなされている。
【００１２】
たとえば、特許文献５では、電圧Ｖ１と電圧Ｖ２の２種類の駆動電圧を用いることで、駆動回路の動作周波数を小さく抑える方法が開示されている。また、特許文献６には、輝度データに基づいて駆動電圧・パルス幅の両方を制御し階調をPWMで制御し、素子毎のば
らつきをPAMで補正する方法が開示されている。
【特許文献１】米国特許５，６５９，３２９号公報
【特許文献２】特開平７−２３５２５５号公報
【特許文献３】特開２００１−３５０４４２号公報
【特許文献４】特開２０００−１２２５９８号公報
【特許文献５】特開平１０−３９８２５号公報
【特許文献６】特開平７−１８１９１６号公報
【発明の開示】
【発明が解決しようとする課題】
【００１３】
以上のような従来技術を組み合わせてPWMとPAMを併用しかつ画面の均一性を駆動信号の時間幅を補正することにより向上させようとする場合に以下のような課題があった。
【００１４】
すなわち、表示階調を小さくすると、画面の均一性が悪くなるという問題である。
【００１５】
ここでは、この均一性を示す指標として画面内の部分的な輝度ばらつきσ/平均値を用
いることとする（ここで、σは標準偏差である）。
【００１６】
電圧をＶ１、Ｖ２、各電圧毎のパルス幅を２５６刻みのトータル５１２の変調レベルの制御を行った場合について説明する。
【００１７】
変調信号の各変調レベルに対応して出力される変調パルス波形の例を、図２を用いて説明する。図２は、変調信号用の各電圧の関係がＶ１＜Ｖ２となる場合の、出力パルス波形の概念図を表す図である。各パルス波形は、大きく２つのグループに分けることができ、例えば次のように決められる。
【００１８】
(a)変調レベルが1 〜 L1maxの間：
振幅V1のパルスであり、パルス幅が変調レベルに応じて変化する。
【００１９】
(b)変調レベルがL1max + 1 〜 L2maxの間：
振幅がV1ないしV2のパルスであり、V2振幅のパルス幅が変調レベルに応じて変化する。
【００２０】
この波形で駆動を行ったときの均一性に関して図７に横軸に変調レベル、縦軸に表示領域の均一性（σ/平均値）、を示す。
【００２１】
２５６変調レベルを境として使用する電圧レベルが切り替わる。すなわち、上述の（a
）においてL1max＝２５６であり、（ｂ）においてL2max＝５１２としたものである。従って変調レベルが１〜２５６の領域が（a）に、２５７〜５１２の領域が（ｂ）にそれぞれ
示した駆動波形になっている。
【００２２】
図７からわかるように、低変調レベルになるほど均一性が悪くなり、また低い電圧レベルが混じる割合が大きくなるほど均一性が悪くなっている。
【００２３】
このように駆動方法により均一性が変動するのは、蛍光体を用いた表示装置の場合に、その電子励起の強さに対する発光特性の関係がリニアでない領域が存在するからである。
【００２４】
図８は横軸に素子放出電流、縦軸に発光輝度を示した図である。×点で実測値を示し、点線で累乗近似カーブを示す。
【００２５】
累乗近似カーブと実測の値を比較するとわかるように、放出電流が低い場合と高い場合ではその傾きが異なる。すなわち、輝度＝（放出電流）γと表現した場合にγ（ガンマ）が放出電流依存を持つということである。
【００２６】
このことから電子源の放出特性のバラツキが輝度として観測される場合にはその動作点が放出電流の低いところではばらつきが大きく、放出電流の大きなところではばらつきが小さく観測されることとなる。
【００２７】
したがって、図７で示したような現象は、駆動電圧が低く放出電流が小さい場合にはγが大きいため均一性が悪くなり、駆動電圧が高く放出電流が大きい場合にはγが小さいため均一性が相対的に良くなっていることを示している。
【００２８】
また、２種類の動作電圧を使用している階調の途中のところでは用いられる電圧それぞれの時間的な割合によってγの異なる発光部分の混合度合いが変わるため、電圧の大きい駆動部分の割合が多ければ比較的均一性が良く、少なければ均一性が悪くなる。
【００２９】
このような特性が存在するため、低変調レベルにおいて画質が悪くなり、問題となっていた。
【００３０】
本発明は上述した課題を解決するためになされたものであり、電子放出素子を複数配列した表示装置において電子放出特性のばらつきを補正して均一化することにより、高品位な画像表示を行うことが可能な画像表示装置及びその方法を提供することを目的とする。
【課題を解決するための手段】
【００３１】
本発明は、基板上に複数配置された電子放出素子と、該電子放出素子からの電子ビームにより発光する蛍光体とを有し、画像データに応じて該電子放出素子に複数の電圧振幅値を有するパルス幅変調された駆動信号が印加される画像表示装置において、所定の電圧が印加されたときの前記各電子放出素子に対応した発光輝度のばらつきを補正するための補正値を格納した記憶手段と、前記補正値を用いて所定の演算により、前記複数の電圧振幅値を有する電圧が印加されたときの補正値を算出する補正値演算手段と、前記該補正値演
算手段の演算結果に基づいて画像データを補正した補正画像データを出力する補正画像データ演算手段と、前記補正画像データに基づいて、前記駆動信号を出力する駆動手段と、を有する画像表示装置である。
【００３２】
本発明では、ある一つの動作条件、例えば定電圧駆動を行った場合の、複数の電子放出素子の放出電流のばらつき情報もしくは輝度ばらつき情報を補正するための補正値を記憶する記憶手段を有する。したがって、複数の電子放出素子のばらつき情報を記憶した場合には、電子放出素子の特性ばらつきのみを補正するが、輝度ばらつき情報を記憶した場合には蛍光体の厚みムラやメタルバックの反射率ムラによるフェースプレートに起因する発光ばらつきを補正することが出来る。
【００３３】
さらに、本発明では、複数の電圧値を印加する時の補正値を算出する補正値演算手段を備える。これにより複数の電圧値が印加され駆動条件が組み合わされる場合の補正値を算出する。
【００３４】
算出方法としては、例えば、記憶した補正値の駆動条件でのばらつき量と、算出する条件でのばらつき量の比を保持しておくことで、駆動時に条件に応じてその比を補正値に掛け算する。これにより、異なる駆動条件時の補正値を求めることが出来る。
【００３５】
また、その他の演算方法としては、放出電流と発光輝度の関係を表すγの放出電流依存のデータを関数として保持することで、駆動条件に応じて記憶した補正値に対する係数を算出し、補正値に掛け算してもよい。
【００３６】
この補正画像データに応じて駆動する駆動手段によって駆動すれば、均一性が良く、さらに階調を変えても均一性の変動しない画像表示装置を得ることが出来る。
【００３７】
さらに、本発明では、経年変化に応じてこの補正値の演算の内容を変えるために駆動時間を保持する駆動時間保持手段を有する。この手段によりガンマの経年変化による影響を補正することが出来る。駆動時間保持手段には、駆動時間の保持は画素ごとにその駆動時間（投入電荷量）を保持すればよく、放出電流に対する輝度のガンマの経年変化に応じて補正値の演算の内容を変更することにより、表示画像によらず精度の高い補正が行える。
【００３８】
一般的なTV受像のように長時間の視聴において時間平均したときに面内で特異的な分布を持たない画像を表示する用途に用いる場合には、画素毎の駆動時間を保持する必要は無く、全体の平均的な駆動時間を保持するようにしてもよい。
【発明の効果】
【００３９】
本発明によれば、電子放出素子を複数配列した表示装置において電子放出特性のばらつきを補正して均一化することにより、高品位な画像表示を行うことができる。
【発明を実施するための最良の形態】
【００４０】
本発明の画像表示装置について図１を用いて説明する。
【００４１】
図１は、本発明の画像表示装置および駆動方法を実現するための回路構成の一例を示す概略ブロック図である。
【００４２】
（画像表示装置の全体構成）
図１において、１０１は複数の画像形成素子が単純マトリクス配線された表示パネル、Ｄｙ１〜Ｄｙｍは表示パネルの行配線の端子、Ｄｘ１〜Ｄｘｍは表示パネルの列配線の端子、１０２は走査回路、１０３は変調回路、１０４は同期信号分離回路、１０５は同期分
離回路からのＹＲＢ信号をＲＧＢに変換するための変換回路、１０６はＲＧＢ各色の輝度情報を変調強度に変換するための変換部、１０７はタイミング制御回路、１０８は画像データ１ライン分のシフトレジスタ、１０９は画像データ１ライン分のラインメモリ、１１０は不揮発性のメモリからなる補正テーブル保持回路、１１１は補正値演算回路、１１２は補正画像演算回路、１１３は駆動時間保持回路である。
【００４３】
なお、画像形成素子がカソードルミネッセンスを利用して発光する場合は、放出電子を加速するための高圧電源（不図示）が表示パネルの高圧端子（不図示）に接続される。
【００４４】
（同期信号分離回路、タイミング制御回路）
入力された画像信号は、同期信号分離回路１０４によりＴｓｙｎｃ（垂直同期、水平同期を含む）が分離され、タイミング制御回路１０７に供給される。また、映像信号ＹＲＢは、ＲＧＢ変換回路１０５により画像データであるディジタルＲＧＢ信号へと変換され、輝度データ変換部１０６へと供給される。
【００４５】
輝度データ変換部１０６はＲＧＢ毎の入力値に対し、放送波の逆γ補正や所望の色バランスの調整を行った後に、補正値演算および補正画像生成に用いる変調レベルデータを出力する。
【００４６】
タイミング制御回路１０７は、映像ソースの同期信号Ｔｓｙｎｃに同期して、各部の動作タイミングを決定する。すなわち、タイミング制御回路１０７はシフトレジスタ１０８の動作タイミングを制御するＴｓｆｔ、ラインメモリ１０９の動作タイミングを制御するＴｍｒｙ、変調回路１０３の動作タイミングを制御するＴｍｏｄ、走査回路１０２の動作タイミングを制御するＴｓｃａｎなどの信号を発生する。
【００４７】
（補正テーブル保持回路、補正値演算回路、駆動時間保持回路、補正画像データ演算回路）
補正テーブル保持回路１１０はある駆動電圧での表示装置全点の輝度値の規格化値を分母として分子に画面内の最低値をとった値を補正テーブル値として保持している。補正値演算回路１１１は補正テーブル値に対して変調レベルに応じてゲインをかけて全点の階調に応じた補正係数を算出する。
【００４８】
このゲインは駆動時間保持回路に保持された画素毎の駆動時間に基づいて変更される。
【００４９】
駆動時間保持回路１１３は同期信号分離回路１０４からのＴｓｙｎｃ毎に変調レベルデータを画素毎に積分した値を保持する。補正画像データ演算回路１１２は補正係数を変調レベルに掛け算し補正画像データを生成する。
【００５０】
（走査回路）
走査回路１０２は、表示パネル１０１を順次１行ずつ走査するために、接続端子Ｄｙ１〜Ｄｙｍに対して選択電位Ｖｙまたは非選択電位（例えば０Ｖ）を出力する回路で、ｍ個のスイッチを内蔵している。なお、これらのスイッチはトランジスタやＦＥＴにより構成するのが好ましい。
【００５１】
走査回路１０２の出力する選択電位Ｖｙの値、および後で述べる変調信号の値は、用いる画像表示素子の発光輝度対駆動電圧特性に基づいて決定すればよい。
【００５２】
（シフトレジスタ、ラインメモリ、変調回路）
補正画像演算回路１１２で生成された補正画像データはシフトレジスタ１０８でシリアル／パラレル変換され、ラインメモリ１０９に１水平走査期間の間記憶される。変調回路
１０３は、ラインメモリ１０９に記憶されている補正画像データＩ’１〜Ｉ’ｎに基づいて、表示パネル１０１の対応する列配線端子Ｄｘ１〜Ｄｘｎに複数の電圧振幅値を有するパルス幅変調がなされた駆動波形を出力する。
【００５３】
（画像表示装置の動作）
上述の基本構成に基づいて構成された画像表示装置の動作について、図１を用いて更に詳しく説明する。
【００５４】
図１で示す画像表示装置は、変調回路１０３として複数の電圧振幅値を有するパルス幅変調方式を用いている。
【００５５】
変調回路１０３は、ラインメモリ１０９から送られる変調レベル信号Ｉ’１〜Ｉ’ｎに対応して、複数段の振幅と複数段のパルス幅の組み合わせからなる変調パルスを出力する。例えば２段の振幅から構成される場合、変調信号用の電源１１４としては、Ｖ１，Ｖ２の２つの電源を用いる。変調信号の各変調レベルに対応して出力される変調パルス波形の例を、図２を用いて説明する。図２は、変調信号用電源１１４の各電圧の関係がＶ１＜Ｖ２となる場合の、出力パルス波形の概念図を表す図である。各パルス波形は、大きく２つのグループに分けることができ、例えば次のように決められる。
【００５６】
(a)変調レベルが1 〜 L1maxの間：
出力パルス波形は、振幅V1のパルスであり、パルス幅が変調レベルに応じて変化する。
【００５７】
(b)変調レベルがL1max + 1 〜 L2maxの間：
出力パルス波形は、振幅がV1ないしV2のパルスであり、V2振幅のパルス幅が変調レベルに応じて変化する。
【００５８】
この駆動波形を用いて駆動した場合の階調変化（変調レベル変化）によるばらつきデータの増加の割合をゲインとして補正テーブル値に掛け算する。そのゲイン値は、図３に示すグラフとなった。
【００５９】
詳細に説明すると図４（a）に、表示装置の電圧レベルＶ２、最大パルス幅（同一パル
ス幅）の駆動パルスを印加した場合に、代表的な輝度分布規格化データをとる素子Ｎｏ１、素子Ｎｏ２、素子Ｎｏ３の３点についてのそれぞれの輝度分布規格化データを示す。素子Ｎｏ１は画面内の最大値を、素子Ｎｏ２は画面内の平均値、素子Ｎｏ３は画面内の最小値を示した個所を例として選択した。
【００６０】
このようなデータに対して均一に画像を表示するための補正テーブル保持回路に書き込まれる補正値は図４(b)に示すものになる。
【００６１】
この値は、補正後の値が補正前の規格化データに対して平均的に１５％輝度を落として０．８５となるような輝度で均一に表示されることを想定している。計算としては０．８５／規格化データとなっている。目標とする補正後の輝度レベルは、この変調レベルの場合であれば、補正前の規格化データに対して０．９を目標とすることも可能だが、低変調レベル側では図３で示すようにばらつき量が１．５倍になるので０．１５分だけ輝度を減じた０．８５を目標輝度値とした。
【００６２】
変調レベルが５１２の画像データが各３点に入力された場合には、補正値演算回路１１１は図３のデータに基づいてゲイン１をかけたものを補正係数として出力する。
【００６３】
補正画像演算回路１１２の出力は、入力指示値５１２に対してその補正係数をかけた値
となるので、図４（ｃ）に示す値となる。
【００６４】
変調レベルが３０７の画像データが各３点に入力された場合は補正値演算回路１１１は図３のデータにもとづいてゲイン１．３を使用して演算する。
【００６５】
この時予測される輝度の値はばらつき値を１．３倍にした図４（ｄ）に示す値となるので、演算後の補正係数は図４（e）に示す値となる。
【００６６】
補正画像演算回路１１２の出力は、入力指示値３０７に対してその補正係数をかけた値となるので、図４（ｆ）に示す値となる。
【００６７】
変調レベルが他の値の場合や画素毎に異なる場合にも同様の演算を行い、補正画像データを生成し駆動することで均一な補正が可能である。
【００６８】
また、図３に示した補正の変調レベルによるゲインは、駆動時間保持回路１１３に保持された画素毎の駆動時間に基づいて補正値演算回路１１１によって修正される。
【００６９】
ここで、画素毎の駆動時間に基づいてゲインを補正するように構成しているのは、以下に説明するように、駆動条件に応じて補正するための放出電流に対する輝度のガンマが、駆動条件だけでなく経年変化によっても変化するからである。
【００７０】
図５にＳＣＥ素子の放出電流分布の一例を示す等高線図を示す。
【００７１】
このように放出電流分布が一様でない放出電流分布を持つ電子源と蛍光体を組み合わせて表示装置を構成する場合の次のような課題が生じる。
【００７２】
一般に蛍光体はその蛍光体の励起時に投入された電荷量に応じてその発光効率が劣化する。したがって、電流分布により電流密度が大きいところと電流密度の小さいところではその劣化度合いが異なる。
【００７３】
図６に、平均20mA/cm2の条件で効率が半減する特性を有しかつ投入電荷量が150Coulomb/cm2の蛍光体を、SCE素子を用いて駆動した場合の１００００時間の劣化度合いを示す。
このグラフは、横軸を電流密度、縦軸を劣化度合いとして、１００００時間の劣化度合いを示したものである。長時間表示装置を使用した場合には劣化の分布が生じる。その画素の発光輝度はその積分値であるから、低電流密度の部分の発光に対する寄与が大きくなるため、その画素の放出電流に対する輝度のガンマは大きくなる。
【００７４】
このように、駆動条件に応じて補正するための放出電流に対する輝度のガンマは、駆動条件だけでなく経年変化によっても変化する。
【００７５】
同一の条件で作成した表示装置の経年変化によるγの変動は15000時間で２％程度であ
ったので、駆動時間保持回路１１３に保持された時間に応じて15000時間で２％変動する
傾きで直線近似し、2500時間毎に図３で示したゲイン値に経年変化の補正を掛け算した値が補正値であるとして上記の演算を行うように設定した。
【００７６】
駆動時間保持回路１１３は、同期信号分離回路１０４からのＴｓｙｎｃ毎に変調量データを画素毎に積分した値を保持する。補正画像データ生成回路１１２は補正係数を変調レベルデータに掛け算し補正画像データを生成する。
【００７７】
本実施形態では変調電圧の種類はＶ１、Ｖ２の２種類を用いたが、変調電圧の種類はさ
らに多くても良いのは明らかであり制限はない。また、経時変化によるゲインの変化を補正値演算回路１１１で修正したが、補正テーブル保持回路１１０を揮発性（書き換え可能）のものを用い、補正テーブル値を定期的に書き換えることで修正を行ってもよい。一般的には不揮発性（書き換え不可能）なメモリの方が安価で高速なものが入手可能と思われるがこれに限定するものではない。
【００７８】
このように、本実施形態に係る画像表示装置においては、複数の電圧値による振幅変調とパルス幅変調を組み合わせた表示装置において均一性が良く、さらに階調を変えたり、経年したりしても均一性が変動しない表示装置を得ることが出来る。
【００７９】
また、画素毎に階調に応じた補正データを保持する必要がないので安価に構成することができる。
【図面の簡単な説明】
【００８０】
【図１】本発明の実施形態の画像表示装置を説明するためのブロック図である。
【図２】本発明の実施形態で用いられる、複数段の振幅と複数段のパルス幅の組み合わせからなる変調方式の、パルス形状を説明するための概略図である。
【図３】本発明の実施形態で用いられる補正テーブル値に掛け算するゲインの変調レベル（階調）依存グラフである。
【図４】本発明の実施形態で用いられる補正の詳細の説明図である。
【図５】ＳＣＥ素子の放出電流分布の一例を示す等高線図である。
【図６】蛍光体劣化度の電流密度依存グラフである。
【図７】本発明の実施形態で用いられる変換テーブルにより関連付けられる、入力画像輝度と出力変調パルス幅との関係を示すグラフである。
【図８】発光輝度素子放出電流依存グラフである。
【符号の説明】
【００８１】
１０１  表示パネル
１０２  走査回路
１０３  変調回路
１０４  同期信号分離回路
１０５  ＲＧＢ変換回路
１０６  輝度データ変換部
１０７  タイミング制御回路
１０８  シフトレジスタ
１０９  ラインメモリ
１１０  補正テーブル保持手段
１１１  補正値演算回路
１１２  補正画像演算回路
１１４  変調信号用電源
２０１  基板
２０２、２０３  素子電極
２０４  導電性薄膜
２０５  電子放出部
２０６  アノード電極
２０７  電源
２０８  電流計
２０９  高圧電源
２１０  電流計
４０１  基板
４０２  結線
４０３  ＳＣＥ素子
４０４  行配線
４０５  列配線
５０１  基板
５０２  行配線
５０３  列配線
５０４  ＳＣＥ素子
５０５  外囲器
５０６  フェースプレート
５０７  蛍光体
５０８  アノード電極
【図１】
2005257791.tif 000003
【図２】
2005257791.tif 000004
【図３】
2005257791.tif 000005
【図４】
2005257791.tif 000006
【図５】
2005257791.tif 000007
【図６】
2005257791.tif 000008
【図７】
2005257791.tif 000009
【図８】
2005257791.tif 000010